(57)【特許請求の範囲】
【請求項１】
ベントグラスやブルーグラスなどの寒地型芝生へ水分を供給する方法であって、前記寒地型芝生が設けられる被水分噴霧領域に下記の移動可能な水分供給装置により平均粒子径７０〜１２０μｍの水分を噴霧することを特徴とする寒地型芝生への水分供給方法。
記
前記水分供給装置は、前記被水分噴霧領域に刺入して立設する立設体の上部にノズル部を設けたものであり、前記ノズル部は前記立設体の上端部に角度可変部を介して設けられている。
【請求項２】
請求項１記載の寒地型芝生への水分供給方法において、前記水分供給装置には０．２５〜０．３Ｍｐａの水圧で水分を供給する水分供給部が接続され、この水分供給部の水圧で平均粒子径７０〜１２０μｍの水分が噴霧されるように構成されていることを特徴とする寒地型芝生への水分供給方法。
【請求項３】
請求項２記載の寒地型芝生への水分供給方法において、前記立設体は、内部に通水孔部を有する管体で構成され、この通水孔部には水を導入する水導入部が設けられ、この水導入部は前記水供給部と連設せしめられていることを特徴とする寒地型芝生への水分供給方法。
【発明の詳細な説明】
【技術分野】
【０００１】
本発明は、寒地型芝生への水分供給方法に関するものである。
【背景技術】
【０００２】
夏場の猛暑日が続くことで起きるウェットウィルトによる芝生の枯れが問題となっている。
【０００３】
具体的には、このウェットウィルトは、地上での高温状態と地中での過湿状態とが重なると根が機能しなくなり、水が吸えなくなる現象である。例えば多くのゴルフ場で使用されるベントグラス類、ブルーグラス類、フェスク類、ライグラス類などの寒地型芝生は、生育適温が１５〜２０℃であり、３０度以上の気温が一定期間続くとウェットウィルトが起きる可能性が高いとされている。
【０００４】
これに対し、各ゴルフ場では、スプリンクラーで散水する他、手撒き散水やファン（ブロワー）を用いた散水などで対応しているが、前述したウェットウィルトを良好に防止するまでには至っていない。なぜなら、これら従来の水分の供給方法は、平均的な水分の供給が難しく、特に水分過多となる部位で枯れが起きてしまったりするからである。
【発明の概要】
【発明が解決しようとする課題】
【０００５】
本発明者は、前述した芝生のウェットウィルトに着目して種々の実験研究を繰り返し行い、その結果、従来にない作用効果を発揮する画期的な寒地型芝生への水分供給方法を開発した。
【課題を解決するための手段】
【０００６】
添付図面を参照して本発明の要旨を説明する。
【０００７】
ベントグラスやブルーグラスなどの寒地型芝生１へ水分を供給する方法であって、前記寒地型芝生１が設けられる被水分噴霧領域Ａに下記の移動可能な水分供給装置Ｋにより平均粒子径７０〜１２０μｍの水分２を噴霧することを特徴とする寒地型芝生への水分供給方法に係るものである。                                                          
記
前記水分供給装置Ｋは、前記被水分噴霧領域Ａに刺入して立設する立設体３の上部にノズル部４を設けたものであり、前記ノズル部４は前記立設体３の上端部に角度可変部８を介して設けられている。
【０００８】
また、請求項１記載の寒地型芝生への水分供給方法において、前記水分供給装置Ｋには０．２５〜０．３Ｍｐａの水圧で水分２を供給する水分供給部20が接続され、この水分供給部20の水圧で平均粒子径７０〜１２０μｍの水分２が噴霧されるように構成されていることを特徴とする寒地型芝生への水分供給方法に係るものである。
【０００９】
また、請求項２記載の寒地型芝生への水分供給方法において、前記立設体３は、内部に通水孔部５を有する管体で構成され、この通水孔部５には水を導入する水導入部６が設けられ、この水導入部６は前記水供給部20と連設せしめられていることを特徴とする寒地型芝生への水分供給方法に係るものである。
【発明の効果】
【００１０】
本発明は上述のようにしたから、簡易且つ確実に寒地型芝生にウェットウィルトが起きることが防止され、また、寒地型芝生に起きたウェットウィルトを解消することができるなど従来にない作用効果を発揮する画期的な寒地型芝生への水分供給方法となる。
【図面の簡単な説明】
【００１１】
【図１】本実施例に係る寒地型芝生への水分供給方法の説明図である。
【図２】本実施例に係る水分供給装置Ｋを説明する斜視図である。
【図３】本実施例に係る要部を説明する断面図である。
【図４】本実施例に係る要部を説明する断面図である。
【図５】本実施例に係る要部を示す分解斜視図である。
【図６】本実施例に係る角度可変部８の別例を示す部分拡大正面図である。
【図７】本実施例に係るノズル部材４Ｂの性能試験の説明図である。
【図８】本実施例に係るノズル部材４Ｂの性能試験結果を示す表である。
【図９】試験１の条件を示す表である。
【図１０】試験１の結果を示す表である。
【図１１】試験１の結果を示す表である。
【図１２】試験２の条件を示す表である。
【図１３】試験２の結果を示す表である。
【図１４】試験２の結果を示す表である。
【図１５】試験２の結果を示す表である。
【図１６】試験２の結果を示す表である。
【図１７】試験２の結果を示す表である。
【図１８】試験２の結果を示す表である。
【図１９】試験２の結果を示す表である。
【図２０】試験３の条件を示す表である。
【図２１】試験３の条件を示す表である。
【図２２】試験３の結果を示す表である。
【図２３】試験３の結果を示す表である。
【図２４】試験３の結果を示す表である。
【図２５】試験３の結果を示す表である。
【図２６】試験３の結果を示す表である。
【図２７】試験３の結果を示す表である。
【図２８】試験３の結果を示す表である。
【図２９】試験３の結果を示す表である。
【図３０】試験３の結果を示す表である。
【図３１】試験３の結果を示す表である。
【図３２】試験３の結果を示す表である。
【発明を実施するための形態】
【００１２】
好適と考える本発明の実施形態を、図面に基づいて本発明の作用を示して簡単に説明する。
【００１３】
例えば寒地型芝生１にウェットウィルトが起きると思われる条件の被水分噴霧領域Ａに平均粒子径７０〜１２０μｍの水分２を噴霧する。
【００１４】
実際に本発明者が試したところ、この平均粒子径７０〜１２０μｍの水分２を噴霧することで、従来であればウェットウィルトが起きていたような猛暑日が続く環境下であっても寒地型芝生１にはウェットウィルトが起きず、枯れることがなかった。
【００１５】
また、ウェットウィルトが起きた寒地型芝生１のある被水分噴霧領域Ａに対しても平均粒子径７０〜１２０μｍの水分２を噴霧したところ、ウェットウィルトが解消され、枯れ始めていた寒地型芝生１が回復した。
【００１６】
これは、この平均粒子径７０〜１２０μｍの水分２は、必要以上に飛散し過ぎず且つ地面に付着し過ぎず、被水分噴霧領域Ａの上方で停滞し、この被水分噴霧領域Ａの表面（寒地型芝生１の葉）は気化熱により適度な冷却効果が得られるとともに、適度な水分供給が行われるからと推測される。実際に種々試した結果、水分２の平均粒子径が７０μｍよりも小さい場合には、飛散し過ぎたり気化して水分が足りず脱水状態となってしまい生育に不良を起こし、反対に、水分２の平均粒子径が１２０μｍよりも大きい場合には、良好に飛散せず加湿状態となってしまい生育に不良を起こすことを確認している。
【００１７】
従って、本発明によれば、前述したように水分２は、必要以上に飛散し過ぎず且つ地面に付着し過ぎず、被水分噴霧領域Ａの上方で停滞し、この被水分噴霧領域Ａの表面（寒地型芝生１の葉）は気化熱により適度な冷却効果が得られるとともに、適度な水分供給が行われるから、従来、夕方から早朝の間に行われていた水分の供給が炎天下の日中でも可能となり、よって、寒地型芝生１の管理が極めて簡易且つ良好に行えることになる。
【実施例】
【００１８】
本発明の具体的な一実施例について図面に基づいて説明する。
【００１９】
本実施例は、ベントグラスやブルーグラスなどの寒地型芝生１へ水分２を供給する方法であって、寒地型芝生１が設けられる被水分噴霧領域Ａに対して移動可能な水分供給装置Ｋから、平均粒子径７０〜１２０μｍの水分２（霧状水分）を噴霧する寒地型芝生１への水分供給方法（ウェットウィルトの防止方法及び解消方法）である。尚、本願発明で言う寒地型芝生１が設けられる被水分噴霧領域Ａとしてゴルフ場（グリーンやフェアウェイ）を採用しているがこれに限らず、例えば、寒地型芝生１を設ける場所としてサッカー場や野球場や屋上の緑化部でも良く、また、水分２とは後述の通り水であるが、例えば水に薬剤を混ぜたものでも良い。また、寒地型芝生１は、ベントグラス類、ブルーグラス類、フェスク類、ライグラス類があり、生育適温が高い温暖地型芝生（ノシバ、コウライシバ）と対置される。
【００２０】
水分供給装置Ｋは、図１に図示したように被水分噴霧領域Ａに刺入して立設する立設体３の上部にノズル部４を設けたものである。
【００２１】
具体的には、立設体３は、図２，３に図示したように内部に通水孔部５を有する適宜な金属製の管状体で構成されている。尚、本実施例の立設体３の長さは約９５ｃｍであり、後述するノズル部４を含めた全体長は約１０５ｃｍである。
【００２２】
通水孔部５は、図３に図示したように後述する水導入部６が設けられる位置から上端位置にかけて設けられており、更に、立設体３の上端部には通水孔部５を開閉する弁体９が設けられている。
【００２３】
従って、この弁体９の開閉操作によりノズル部４への水分２の供給と供給停止が行われる。
【００２４】
水導入部６は、図３に図示したように水分供給部20に設けられた接続部材20ｂ（被水分噴霧領域Ａに配備される水道管に接続されたホース20ａの先端部に設けられたカプラー20ｂ）が着脱自在に接続し得るように構成されている。
【００２５】
従って、本実施例は水分供給部20が存在する場所であればどこでも使用することができる。
【００２６】
また、立設体３の上部にはノズル部４が設けられている。
【００２７】
このノズル部４は、図２，４，５に図示したように管体４Ａと、この管体４Ａの正面にして等間隔の位置に設けられる複数のノズル部材４Ｂと構成されている。
【００２８】
管体４Ａは、適宜な金属製の部材を正面視環形状に形成したものであり、この管体４Ａの下部には後述する角度可変部８に係る球状体８ａに螺着する管状の螺子部４ａが設けられている。
【００２９】
ノズル部材４Ｂは、適宜な金属製の部材で形成したものであり、噴霧孔４ｂは水分供給部20の水道圧（約０．２５〜０．３Ｍｐａ）で平均粒子径７０〜１２０μｍの水分２を噴霧するように設定されている。
【００３０】
本発明者は、後述する寒地型芝生１への水分供給方法で使用するノズル部材４Ｂの性能を確認すべく、使用した３つのノズル部材４Ｂから噴霧される水分２の平均粒径を調べた。
【００３１】
測定方法としては、３つのノズル部材４Ｂを下方に向けて３０ｃｍの高さから下方へ向け、０．３Ｍｐａ，０．４Ｍｐａ及び０．５Ｍｐａの各水圧で噴霧させた（図７参照）。
【００３２】
各ノズル部材４Ｂは、液体が環状に噴霧される構造（ホロコーンスプレーノズル）であり、各水圧で吹き付けた際に被吹き付け部位に形成される環状体15の内径中心位置（図７中Ａ部）での平均粒径と、環状体15の巾方向中央位置（図７中Ｂ部）での平均粒径を調べた。
【００３３】
図８の表に示す通り、いずれのノズル部材４Ｂも水圧に応じてＡ部及びＢ部における平均粒径が異なり、水分供給部20の水圧（０．３Ｍｐａ）で、噴射角約４６度、流量約２６０ｍＬ・ｍｉｎ、Ａ部での平均粒径は約７０μｍであり、Ｂ部での平均粒径は約１２０μｍのノズル部材４Ｂである。
【００３４】
このノズル部材４Ｂにより、所定範囲に平均粒子径７０〜１２０μｍの水分２が噴霧される。従って、水分供給装置Ｋを適宜移動させ、被水分噴霧領域Ａの上方位置に平均粒子径７０〜１２０μｍの水分２が対流するようにすると、ウェットウィルトが解消され、枯れ始めていた寒地型芝生１が回復する。
【００３５】
また、ノズル部４は、立設体３の上端部に角度可変部８を介して設けられている。
【００３６】
この角度可変部８は、図４，５に図示したようにノズル部４の下部に連結される球状体８ａと、この球状体８ａに被嵌され立設体３の上端部に設けられる螺子部３ａに螺着する被嵌部材８ｂとで構成されている。
【００３７】
従って、角度可変部８は、被嵌部材８ｂを緩め回動させて球状体８ａに対する締め付けを解除した際、球状体８ａが回動可能状態となってノズル部４の角度を可変することができ、また、このノズル部４を任意の角度にセットし、この状態で被嵌部材８ｂを締め付け回動させて球状体８ａを回動不能状態とすることで、ノズル部４を上下方向，左右方向及び斜め方向の任意の角度で固定することができる。
【００３８】
尚、角度可変部８は前述した構造に限らずノズル部４の角度を可変し得る構造、例えば図６に図示したような蛇腹構造などのフレキシブル構造であれば良い。
【００３９】
また、立設体３の下端部には先細形状の刺入部７が設けられている。
【００４０】
従って、立設体３は、被水分噴霧領域Ａの任意の場所に移動自在であり、刺入部７を刺入して立設することができる。
【００４１】
また、本実施例では、立設体３の下部に補助脚部10が設けられている。
【００４２】
この補助脚部10は、立設体３の下部周面に放射状に突設され下端に先細り部10ａ’を有する複数（３本）の脚部材10ａで構成されており、この各脚部材10ａは立設体３に回動自在にして着脱自在に被嵌連結する筒状の連結部材10ｂに設けられている。
【００４３】
従って、立設体３は、被水分噴霧領域Ａに刺入部７を刺入するとともに、補助脚部10の各脚部材10ａを刺入することで安定的に立設することができる。
【００４４】
また、補助脚部10には立設体３に固定する固定部12が設けられている。
【００４５】
この固定部12は、図３に図示したように連結部材10ｂに螺子孔10ｂ’を貫通状態に設け、この螺子孔10ｂ’に螺子部材12ａを螺着して構成されており、この螺子部材12ａを締付動することで補助脚部10は立設体３に対して回動不能状態にして上下方向への移動不能状態となる。
【００４６】
本実施例では、水分供給部20としてはゴルフ場のグリーン脇やティグランドやフェアウェイなどに設置される散水栓（４０ミリ口径）を採用しており、この散水栓の水圧を約０．２５〜０．３Ｍｐａまで減圧するとともに、散水栓にカプラーを接続して口径を水道水蛇口の１６ミリ口径に落として水道ホース20ａを接続している。
【００４７】
以上の構成から成る本実施例に係る水分供給装置Ｋを利用した寒地型芝生１への水分供給方法について説明する。
【００４８】
まず、寒地型芝生１のウェットウィルが起きると思われる条件の被水分噴霧領域Ａに水分供給装置Ｋを配する。
【００４９】
具体的には、補助脚部10を被水分噴霧領域Ａに刺入した後、補助脚部10に対して立設体３を回動させてノズル部４の方向を決め、刺入部７を被水分噴霧領域Ａに刺入して立設し、この状態で固定部12で補助脚部10に対して立設体３を固定する。
【００５０】
続いて、水導入部６に水分供給部20を接続する。尚、予め水導入部６に水分供給部20を接続した状態で被水分噴霧領域Ａに立設体３を立設するようにしても良い。
【００５１】
続いて、弁体９を開放してノズル部４から平均粒子径７０〜１２０μｍの水分２を噴霧する。この水分２の噴霧状況を見て、必要に応じて角度可変部８を可動させてノズル部４の噴霧角度を調整する。また、被水分噴霧領域Ａの面積にも応じて水分供給装置Ｋの位置を変えて水分２を噴霧し、被水分噴霧領域Ａの上方が平均粒子径７０〜１２０μｍの水分２で覆われた状態となるようにする。
【００５２】
このノズル部４から噴霧された平均粒子径７０〜１２０μｍの水分２は被水分噴霧領域Ａの上方で停滞し、この被水分噴霧領域Ａの表面（寒地型芝生１の葉）は気化熱により適度な冷却効果が得られるとともに、適度な水分供給が行われ、寒地型芝生１にウェットウィルが起きることが防止される。この被水分噴霧領域Ａの上方で停滞する平均粒子径７０〜１２０μｍの水分２により、被水分噴霧領域Ａの表面近くで温度が低下することで気圧の変化により風が起き、その結果、水分２は広範囲に飛散して適度な水分２が供給される。
【００５３】
本実施例は上述のように構成したから、簡易且つ確実に寒地型芝生１にウェットウィルトが起きることを防止し、また、寒地型芝生１に起きたウェットウィルトを解消することができ、しかも、炎天下となる日中（酷暑雰囲気中）での水分２の供給が可能となり、よって、寒地型芝生１の管理が極めて簡易且つ良好に行えることになる。
【００５４】
また、本実施例は、水分供給装置Ｋとして、被水分噴霧領域Ａに刺入して立設する立設体３の上部にノズル部４を設けた水分供給装置Ｋを採用したから、被水分噴霧領域Ａへの水分供給装置Ｋの堅固な配置及び撤去が簡易且つ確実に行えることになる。
【００５５】
また、本実施例は、ノズル部４は立設体３の上端部に角度可変部８を介して設けられているから、水分２を適切な状態に噴霧させることができることになる。
【００５６】
また、本実施例は、水分供給装置Ｋには水分供給部20が接続され、この水分供給部20の水圧で平均粒子径７０〜１２０μｍの水分２を噴霧するように構成されているから、水分供給部20が存在する箇所であれば、何処でも本実施例による水分供給方法が確実に行えることになる。
【００５７】
また、本実施例は、微細な平均粒子径７０〜１２０μｍの水分２を噴霧させる構成であるから、散水量が抑制されることになる為、少量散水によりウェットウィルトの防止及び解消が確実に達成されることになり、コスト面において極めて秀れたものとなる。
【００５８】
本発明者は、本実施例の有効性を確認すべく以下の試験１〜３を行った。
【００５９】
＜試験１＞
試験１は次の条件で行った。
【００６０】
・試験場所：理研グリーン研究所内東側ベントグリーン
・試験規模：１区４平方メートル  反復無し
・試験方法：上記試験場所に試験区を設け、本実施例に係る水分供給装置Ｋにより水分供給を行う処理区（本実施例処理区）と、水分供給を行わない無処理区とを設け、各処理区における土壌撥水性と土壌水分含有量について調査を行う。
【００６１】
・試験期間：２０１１年５月１６日〜５月２６日
図９は、本実施例処理区に対して処理を行った日付と散水時間を示す表である。
【００６２】
図10は、上記試験期間の中からランダムに選択された日における本実施例処理区及び無処理区の土壌を採取し、この各処理区について土壌撥水性を測定した結果を示す表である。尚、数値（ＭＥＤ値）が低いほど土壌撥水性が低いことになる。この土壌撥水性が低いと土壌への水分の浸透性が高いことを意味し、土壌に水分が良好に浸透することでドライスポットの原因となる土壌の乾燥が防止される。
【００６３】
図11は、上記試験期間の中からランダムに選択された日における本実施例処理区及び無処理区の土壌を採取し、この各処理区について土壌水分含有量を測定した結果を示す表である。
【００６４】
前述した試験１から、本実施例処理区の方が無処理区に比べて土壌撥水性の低下が認められ、且つ、本実施例処理区の方が無処理区に比べて土壌水分含有量の上昇が認められ、よって、土壌撥水性及び土壌水分含有量に関して本実施例の有効性が確認された。
【００６５】
以上の結果から、本実施例により乾燥防止と水分補給が図られ、ベントグラス地上部の生育は良好に維持された（ドライスポットの発生を抑制し、且つ、ドライスポット発生部における改善が確認された。）。
【００６６】
＜試験２＞
試験２は次の条件で行った。
【００６７】
・試験場所：理研グリーン研究所内東側ベントグリーン
・試験規模：１区９平方メートル  反復無し
・試験方法：上記試験場所に試験区を設け、本実施例に係る水分供給装置Ｋにより水分供給を行う処理区（本実施例処理区）と、水分供給を行わない無処理区とを設け、各処理区における地上部生育（達観調査），土壌水分含有量，土壌撥水性，ターフ表面温度，地中温度，刈粕重量，葉身中のフルクタン含有量及び葉身中のタンパク質含有量について調査を行う。
【００６８】
・試験期間：２０１１年７月２１日〜８月１８日
図12は、本実施例処理区に対して処理を行った日付の気象条件（降水量，気温及び日照時間）と散水時間を示す表である。
【００６９】
図13は、上記試験期間の中からランダムに選択された日における本実施例処理区及び無処理区の土壌を採取し、この各処理区について土壌水分含有量を測定した結果を示す表である。
【００７０】
図14は、上記試験期間の中からランダムに選択された日における本実施例処理区及び無処理区の土壌を採取し、この各処理区について土壌撥水性を測定した結果を示す表である。
【００７１】
図15は、上記試験期間の中から選択された日における本実施例処理区及び無処理区についてターフ表面温度を測定した結果を示す表である。
【００７２】
図16は、上記試験期間の中から選択された日における本実施例処理区及び無処理区について地中温度を測定した結果を示す表である。
【００７３】
図17は、上記試験期間の中からランダムに選択された日における本実施例処理区及び無処理区の芝を刈り、その重量を測定した結果を示す表である。
【００７４】
図18は、上記試験期間の中からランダムに選択された日における本実施例処理区及び無処理区の芝を刈り、その葉身中のフラクタン含有量を測定した結果を示す表である。
【００７５】
図19は、上記試験期間の中からランダムに選択された日における本実施例処理区及び無処理区の芝を刈り、その葉身中のタンパク質含有量を測定した結果を示す表である。
【００７６】
前述した試験２から、まず、達観調査の結果、無処理区では８月に入り気温の上昇とともに乾燥害が多く発生したが、本実施例処理区では乾燥害はほとんど認められず、葉色は濃緑を維持した。
【００７７】
また、土壌水分含有量については、本実施例処理区の方が無処理区に比べて土壌水分含有量の上昇が認められた。
【００７８】
また、土壌撥水性については、八月に入ると無処理区において土壌撥水性の数値が高くなるにもかかわらず、本実施例処理区においては土壌撥水性の数値を低い値で維持できることが認められた。
【００７９】
また、ターフ表面温度については、本実施例処理区の方が無処理区に比べてターフ表面温度の低下が認められた。
【００８０】
また、地中温度については、本実施例処理区及び無処理区の双方に変化は大きく認められなかった。
【００８１】
また、刈粕重量については、本実施例処理区及び無処理区の双方ともに夏の暑さによって重量が減少し、本実施例処理区がやや刈粕重量が多い傾向であるが、試験開始時からの減少割合に大きな差は認められなかった。
【００８２】
葉身中のフルクタン含有量については、試験期間を通じて、無処理区においてフルクタン含有量の値が低くなるにもかかわらず、本実施例処理区においてはフルクタン含有量の値を高い値で維持できることが認められた。
【００８３】
葉身中のタンパク質含有量については、本実施例処理区及び無処理区の双方とも試験期間を通じてほぼ横ばいであり、差は認められなかった。
【００８４】
以上の結果から、本実施例により葉色向上、良好な水分補給、土壌撥水性の低下、ターフ表面温度の低下が認められ、ベントグラスの夏越しに一定の効果があることが確認できた。
【００８５】
＜試験３＞
試験３は次の条件で行った。
【００８６】
・試験場所：滋賀県ベアズパウジャパンカントリークラブ内ベントグリーンナセリー
・試験規模：１区１，０００平方メートル  ２反復
・試験方法：上記試験場所に試験区を設け、本実施例に係る水分供給装置Ｋにより水分供給を行う処理区（本実施例処理区）と、水分供給を行わない無処理区とを設け、各処理区における芝を刈り、その葉身中の栄養素含有量（Ｎ「窒素」、Ｐ「リン」、Ｋ「カリウム」、Ｓ「硫黄」、Ｃａ「カルシウム」、Ｍｇ「マグネシウム」、Ｆｅ「鉄」、フルクタン）について分析を行う。尚、フルクタンは葉身中に貯蔵する炭水化物である。
【００８７】
・試験期間：２０１１年６月２０日〜９月２７日
図20及び図21は、本実施例処理区に対して処理を行った日付の気象条件（最高気温，最低気温，最大湿度，積算日射量，降雨量及び最大風速）を示す表である。
【００８８】
図22は、上記試験期間の中からランダムに選択された日における本実施例処理区及び無処理区の芝を刈り、その葉身中の栄養素含有量を分析した結果を示す表である。
【００８９】
試験前のため本実施例処理区及び無処理区の双方では同等の数値である。
【００９０】
図23は、上記試験期間の中からランダムに選択された日における本実施例処理区及び無処理区の芝を刈り、その葉身中の栄養素含有量を分析した結果を示す表である。
【００９１】
梅雨明けが早く、急激な温度の上昇と乾燥のため、本実施例の効果が顕著にフルクタンの値として現れた。
【００９２】
図24は、上記試験期間の中からランダムに選択された日における本実施例処理区及び無処理区の芝を刈り、その葉身中の栄養素含有量を分析した結果を示す表である。
【００９３】
７月に入り、約４日周期でまとまった雨が続き、本実施例処理区と無処理区との差が見られない。
【００９４】
図25は、上記試験期間の中からランダムに選択された日における本実施例処理区及び無処理区の芝を刈り、その葉身中の栄養素含有量を分析した結果を示す表である。
【００９５】
７月上旬から８月の降雨量が２１６ミリを記録し、本実施例の処理を続けた影響で本実施例処理区と無処理区のフルクタン値が逆転することもあった。
【００９６】
図26は、上記試験期間の中からランダムに選択された日における本実施例処理区及び無処理区の芝を刈り、その葉身中の栄養素含有量を分析した結果を示す表である。
【００９７】
８月は降雨が少なく、本実施例の効果が顕著にフルクタンの値として現れた。
【００９８】
図27は、上記試験期間の中からランダムに選択された日における本実施例処理区及び無処理区の芝を刈り、その葉身中の栄養素含有量を分析した結果を示す表である。
【００９９】
サンプリング２日前に降雨があり、気温低下の中で本実施例処理区と無処理区のフルクタン値が双方とも上昇した。
【０１００】
図28は、上記試験期間の中からランダムに選択された日における本実施例処理区及び無処理区の芝を刈り、その葉身中の栄養素含有量を分析した結果を示す表である。
【０１０１】
この時期気温が高くて降雨が少なく、本実施例の効果が顕著にフルクタンの値として現れた。
【０１０２】
図29は、上記試験期間の中からランダムに選択された日における本実施例処理区及び無処理区の芝を刈り、その葉身中の栄養素含有量を分析した結果を示す表である。
【０１０３】
この時期気温が高くて降雨が少なく、本実施例の効果が顕著にフルクタンの値として現れた。
【０１０４】
図30は、上記試験期間の中からランダムに選択された日における本実施例処理区及び無処理区の芝を刈り、その葉身中の栄養素含有量を分析した結果を示す表である。
【０１０５】
この時期気温が高くて降雨が少なく、本実施例の効果が顕著にフルクタンの値として現れた。
【０１０６】
図31は、上記試験期間の中からランダムに選択された日における本実施例処理区及び無処理区の芝を刈り、その葉身中の栄養素含有量を分析した結果を示す表である。
【０１０７】
９月の降雨量３９１ミリ、定期的な雨と記録的な豪雨で、本実施例処理区と無処理区との差が見られない。
【０１０８】
図32は、上記試験期間の中からランダムに選択された日における本実施例処理区及び無処理区の芝を刈り、その葉身中の栄養素含有量を分析した結果を示す表である。
【０１０９】
気温の低下と降雨で、フルクタンの値が徐々に回復した。
【０１１０】
前述した試験３から、２０１１年６月は例年になく梅雨明けが早く、急激な気温上昇となったが、その時期である６月２０日の試験開始から７月４日の葉身中の分析により、本実施例の効果が顕著にフルクタンの値として現れた。その後、７月〜８月の気温が安定しており、ベントグラスの生育に大きな差は認められなかった。
【０１１１】
以上の結果から、本実施例の使用が寒地型芝生におけるフルクタンの消費と回復に大きく関わり、本実施例の有効性が確認できた。
【０１１２】
尚、本発明は、本実施例に限られるものではなく、各構成要件の具体的構成は適宜設計し得るものである。
【符号の説明】
【０１１３】
Ａ  被水分噴霧領域
Ｋ  水分供給装置
１  寒地型芝生
２  水分
３  立設体
４  ノズル部
５  通水孔部
６  水導入部
８  角度可変部
20  水分供給部
【図１】
0005917138.tif 000002
【図２】
0005917138.tif 000003
【図３】
0005917138.tif 000004
【図４】
0005917138.tif 000005
【図５】
0005917138.tif 000006
【図６】
0005917138.tif 000007
【図７】
0005917138.tif 000008
【図８】
0005917138.tif 000009
【図９】
0005917138.tif 000010
【図１０】
0005917138.tif 000011
【図１１】
0005917138.tif 000012
【図１２】
0005917138.tif 000013
【図２０】
0005917138.tif 000014
【図２１】
0005917138.tif 000015
【図１３】
0005917138.tif 000016
【図１４】
0005917138.tif 000017
【図１５】
0005917138.tif 000018
【図１６】
0005917138.tif 000019
【図１７】
0005917138.tif 000020
【図１８】
0005917138.tif 000021
【図１９】
0005917138.tif 000022
【図２２】
0005917138.tif 000023
【図２３】
0005917138.tif 000024
【図２４】
0005917138.tif 000025
【図２５】
0005917138.tif 000026
【図２６】
0005917138.tif 000027
【図２７】
0005917138.tif 000028
【図２８】
0005917138.tif 000029
【図２９】
0005917138.tif 000030
【図３０】
0005917138.tif 000031
【図３１】
0005917138.tif 000032
【図３２】
0005917138.tif 000033